(57)【要約】【課題】店頭に陳列されて、消費者がポケットに収納された表示シートを視認しやすくする。【解決手段】収納袋は、プラスチックフィルムからなる上方開口の袋本体１の表面に、両側縁と下縁を連結したポケットシート１１を設けて、ポケットシート１１と袋本体１との間に、表示シート２０を出し入れできるポケット１０を設けており、袋本体１は底部にマチ部４を有し、表面シート２の上部には幅方向に直線状に伸びるプラスチック製のチャック６を固定しており、袋本体１に収納物を収納してマチ部４を拡開し、チャック６を閉じて表示シート２０をポケット１０に入れる状態で、表面シート２が傾斜姿勢であって、上部を直線状に保持して見やすくする。【選択図】図３
2020001755.tif 000002
【特許請求の範囲】
【請求項１】
両面の表面シートをプラスチックフィルムとする上方開口の袋状にしてなる袋本体と、
前記袋本体の表面シートに両側縁と下縁を連結してなるポケットシートとからなり、
前記ポケットシートと前記表面シートとの間に、表示シートを出し入れできる上方開口のポケットを設けてなる収納袋であって、
前記袋本体が、底部にマチ部を有し、
さらに、前記表面シートの上部には、開口部の幅方向に直線状に伸びるプラスチック製のチャックが固定されており、
前記袋本体に収納物が収納されて、前記マチ部が拡開される状態で、
前記表面シートの上部が前記チャックで直線状に連結されて、前記ポケットが、前記マチ部で傾斜されて、前記チャックで上部を直線状に保持されるようにしてなることを特徴とする収納袋。
【請求項２】
請求項１に記載される収納袋であって、
前記袋本体が、一枚のプラスチックフィルムを二つに折り返して互いに積層される一対の表面シートを構成すると共に、
前記プラスチックフィルムの折り返し部分が、前記袋本体の内側にさらに折り込まれて前記マチ部を形成してなる収納袋。
【請求項３】
請求項１または２に記載される収納袋であって、
前記チャックが、一方が凸条で、他方が前記凸条を脱着できるように嵌入する嵌着溝で形成されてなる収納袋。
【請求項４】
請求項１ないし３のいずれかに記載される収納袋であって、
前記ポケットの横幅を、前記袋本体の横幅に等しくしてなる収納袋。
【請求項５】
請求項１ないし４に記載される収納袋であって、
前記表面シートと前記ポケットシートとの連結部が、超音波溶着されてなる収納袋。
【請求項６】
請求項１ないし５に記載される収納袋であって、
前記袋本体は、前記開口部の上縁を上方に延伸させてなる把持部を有しており、
前記把持部の両側縁を、非連結状態としてなる収納袋。
【請求項７】
請求項６に記載される収納袋であって、
前記把持部は、手提げ穴が設けられてなる収納袋。
【請求項８】
請求項１ないし７に記載される収納袋であって、
前記表面シートが、透明のプラスチックフィルムからなる収納袋。
【請求項９】
請求項１ないし８に記載される収納袋であって、
前記ポケットシートが、透明のプラスチックフィルムからなり、かつ前記表面シートの外面に連結されてなる収納袋。
【発明の詳細な説明】
【技術分野】
【０００１】
本発明は、主として食品等の収納物を内部に収納した状態で店頭に陳列する用途に使用される収納袋に関する。
【背景技術】
【０００２】
袋本体にポケットが設けられた収納袋は開発されている（特許文献１参照）。従来の収納袋を図９に示す。この収納袋９０は、袋本体９１の外面にポケット形成フィルム９３を添着して紙葉体９５を収納するポケット９４を設けている。この収納袋９０は、袋本体９１の内部には食品が、ポケット９４にはパンフレット等の紙葉体９５が、それぞれ収納される。袋本体９１は、互いに積層された二枚のラミネートフィルム９２で構成されており、積層されたラミネートフィルム９２の三方の周縁を熱溶着して袋状に形成している。この袋本体９１は、溶着されていない開口縁から食品を投入後、開口縁を熱溶着して密封している。また、袋本体９１を構成する二枚のラミネートフィルム９２の一方の表面にポケット形成フィルム９３の両側縁および下縁を熱溶着し、上方を開口したポケット９４を設けて紙葉体９５を収納できるようにしている。
【先行技術文献】
【特許文献】
【０００３】
【特許文献１】実開昭６２−５８３４２号公報
【発明の概要】
【発明が解決しようとする課題】
【０００４】
以上の収納袋９０は、袋本体９１の四方を熱溶着して密封するため、安定的に自立することができない。また、この袋本体９１は、主として内部に粉状や液体状の食品を収納するようにしており、これらの形状の食品が収納されて密封した収納袋９０は、扁平筒状となる。この状態の収納袋９０を店頭で陳列するには、収納袋９０を寝かせて横置きにして積み重ねるか、または、縦置きにする場合は、陳列する棚や台に倒伏防止用のガイド柵や壁を設け、さらには収納袋同士を密着させながら並べて、収納袋９０が倒れないようにする必要がある。しかし、この陳列状態では、一方の収納袋９０の袋本体９１と、もう一方の収納袋９０のポケット９４が互いに重なり合って、ポケット９４に収納された紙葉体９５を消費者が視認することができない。このように、従来の収納袋９０では、収納物によっては、必ずしも最適な状態で陳列できない問題点があった。さらに、食品が収納されて膨らんだ状態の収納袋９０は、ポケット形成フィルム９３とラミネートフィルム９２が非常に密着しており、ポケット９４に紙葉体９５を容易に挿入することができないという問題点もあった。
【０００５】
本発明は、従来のこのような問題点を防止することを目的として開発されたもので、本発明の大切な目的は、店頭に陳列した際に、消費者がポケットに収納された表示シートを視認しやすくできる収納袋を提供することにある。
【課題を解決するための手段】
【０００６】
本発明のある態様にかかる収納袋は、両面の表面シート２をプラスチックフィルムとする上方開口の袋状にしてなる袋本体１と、袋本体１の表面シート２に両側縁と下縁を連結してなるポケットシート１１とからなり、ポケットシート１１と表面シート２との間に、表示シート２０を出し入れできる上方開口のポケット１０を設けてなる収納袋であって、袋本体１が、底部にマチ部４を有し、さらに、表面シート２の上部には、開口部３の幅方向に直線状に伸びるプラスチック製のチャック６が固定されている。また、袋本体１に収納物が収納されて、マチ部４が拡開される状態で、表面シート２の上部がチャック６で直線状に連結されて、ポケット１０がマチ部４で傾斜されて、チャック６で上部を直線状に保持することができる。
【０００７】
本発明は、収納袋を以下に限定するものではないが、以下の構成とすることができる。
本発明のある態様にかかる収納袋は、袋本体１が、一枚のプラスチックフィルムを二つに折り返して互いに積層される一対の表面シート２を構成すると共に、プラスチックフィルムの折り返し部分が、袋本体１の内側にさらに折り込まれてマチ部４を形成することができる。以上の収納袋は、丈夫で安価な収納袋を、短時間で製造できる特徴がある。それは、この収納袋が、袋本体を一枚のプラスチックフィルムを折り返して積層することで形成される、一対の表面シートやマチ部を構成しているからである。複数の表面シートと別シートからなるマチ部を連結することで袋本体が構成される収納袋は、その製造工程において、シート同士を連結する連結工程が増えると共に、連結部において脆弱になりやすい。これに対して、以上の収納袋は、袋本体を一枚のプラスチックフィルムを折り返して形成するので、連結部を減らすことができ、これにより製造時間を短縮しながら脆弱箇所を少なくすることができる。
【０００８】
本発明のある態様にかかる収納袋は、チャック６を、一方が凸条で、他方が凸条を脱着できるように嵌入する嵌着溝で形成することができる。以上の収納袋は、袋本体の表面シートの上部を、より確実に直線状に保持できる。それは、表面シートの上部に固定されたチャックが、対向する凸条と嵌合溝を連結することにより、剛性を向上できるからである。
【０００９】
本発明のある態様にかかる収納袋は、ポケット１０の横幅を、袋本体１の横幅に等しくすることができる。以上の収納袋は、袋本体に対して広い面積のポケットを設けることができるので、大きな表示シートをポケットの内部に収納できる。
【００１０】
本発明のある態様にかかる収納袋は、表面シート２とポケットシート１１との連結部が、超音波溶着にて連結することができる。この構成によると、ポケットシートを表面シートに対して簡単かつ確実に連結できる。
【００１１】
本発明のある態様にかかる収納袋は、袋本体１が、開口部３の上縁を上方に延伸させて把持部７を設けており、把持部７の両側縁を、非連結状態とすることができる。この収納袋は、収納物を簡単に能率よく収納できる特徴がある。それは、把持部を手で持ってチャックを開くことができるとともに、把持部の両側縁が連結されていないので、開口部が広く拡開されて収納作業をスムーズに行うことができる。
【００１２】
本発明のある態様にかかる収納袋は、把持部７に手提げ穴８を設けることができる。以上の収納袋は、持ち運びしやすい。それは、手提げ穴に手指を差し入れて確実に収納袋を持つことができるので、移動中に収納袋を落としたりすることなく便利に使用できる。
【００１３】
本発明のある態様にかかる収納袋は、表面シート２が、透明のプラスチックフィルムとすることができる。以上の収納袋は、袋本体の内部を外部から視認できる。この収納袋は、消費者が袋本体内部に収納された収納物を視認しながら、安心して購入することができる。また、販売者も、袋本体の内部の状態を確認をしながら、収納物を収納できる。また、陳列時においても、収納物を確認しながら陳列作業を行うことができる。
【００１４】
本発明のある態様にかかる収納袋は、ポケットシート１１が、透明のプラスチックフィルムからなり、かつ表面シート２の外面に連結することができる。以上の収納袋は、ポケットに収納された表示シートを外部から視認できるとともに、表示シートをポケットから簡単に出し入れできる特徴がある。それは、ポケットシートが表面シートの外面に連結されることにより、袋本体の外側にポケットが形成されるので、袋本体の開口部が閉じた状態でも、表示シートを出し入れすることができるからである。
【発明の効果】
【００１５】
本発明の収納袋は、店頭で陳列した際に、ポケットに収納された表示シートを消費者が視認しやすい形状に保持できる特徴がある。それは、この収納袋が、袋本体の底部に設けたマチ部を拡開させた状態で、表面シートの上部をチャックで直線状に連結すると、ポケットの上部が直線状に保持されることにより、ポケットが上方に向かって傾斜するので、ポケットに収納された表示シートを傾斜姿勢に配置することができるからである。この姿勢で保持される収納袋は、表示シートが傾斜姿勢で配置されるので、陳列位置の高さが消費者の目線の高さよりも下方となる時でも、消費者が視認しやすい。また、この収納袋は、広い面積で表示シートを配置できる特徴がある。それは、チャックが袋本体の開口部の幅方向に、直線状に表面シートに固定されているからである。このチャックを直線状に連結することにより、表面シートの上部が開口部の幅方向に直線状に保持され、同様にポケットの上部も幅方向に直線状に保持される。上部が幅方向に直線状に保持されるポケットは、その形状が幅方向に広げられた状態となり、収納される表示シートも幅方向に広げられた姿勢で保持されるので、表示シートを平面状に広げて配置できる。以上の収納袋は、ポケットが傾斜姿勢で保持されることと幅方向に広げられた姿勢で保持されることとが相乗されて、内部に収納される表示シートをより効果的に消費者が視認しやすい状態に配置できる。
【００１６】
さらにまた、この収納袋は、マチ部が拡開される方向、すなわち収納袋の前後方向に複数個陳列しても、後方に陳列された収納袋の表示シートを消費者が視認しやすい特徴がある。それは、隣接しあった収納袋同士の間の上方にスペースが形成されることにより、そのスペースを通して、後方に陳列された収納袋の表示シートを消費者が視認することができるからである。
【図面の簡単な説明】
【００１７】
【図１】本発明の実施形態１に係る収納袋の正面図である。
【図２】図１に示す収納袋の概略断面図である。
【図３】図１に示す収納袋に収納物を収納した状態の斜視図である。
【図４】本発明の実施形態２に係る収納袋の正面図である。
【図５】本発明の実施形態３に係る収納袋の側面図である。
【図６】（ａ）は、図１に示す収納袋の開口部を開け、収納物を収納した状態の概略断面図、（ｂ）は、収納物を収納後、チャックを閉じた状態の概略断面図である。
【図７】図３に示す収納袋を店頭に陳列した際の概略側面図である。
【図８】図１に示す収納袋を製造する一例を示す概略斜視図である。
【図９】従来の収納袋の斜視図である。
【発明を実施するための形態】
【００１８】
以下、本発明の実施の形態を図面に基づいて説明する。ただし、以下に示す実施の形態は、本発明の技術思想を具体化するための収納袋を例示するものであって、本発明は以下のものに特定しない。さらに、この明細書は、特許請求の範囲に示される部材を、実施の形態の部材に特定するものでは決してない。
【００１９】
本発明の収納袋は、袋本体の内部に収納物を、ポケットに表示シートをそれぞれ収納後、店頭に陳列して販売する収納袋として使用する。袋本体の内部に収納する収納物は主として食品で、例えば野菜や肉、魚等の食材や、ハンバーグ等の加工食品、さらに調味料等が挙げられる。また表示シートは、商品名や調理方法等が記載された紙葉体やプラスチックシート等のパンフレットが挙げられる。
【００２０】
図１〜図３に示す収納袋１００は、上方開口の袋状に形成した袋本体１と、袋本体１に連結されたポケット１０とを備える。袋本体１は、プラスチックフィルムからなる両面の表面シート２の両側縁５を連結して袋状に成形しており、上部に開口部３を、底部にマチ部４をそれぞれ設けている。表面シート２の上部には、開口部３の幅方向に直線状に伸びるチャック６が固定されている。また、開口部３の上方には、開口部３の上縁を延伸して形成された把持部７が設けられている。
【００２１】
図２に示す袋本体１は、一枚のプラスチックフィルムを二つに折り返して互いに積層させた一対の表面シート２をその両面としている。また、プラスチックフィルムの折り返し部分を、両面の表面シート２の間に挿入されるようにして折り込みを設けて、マチ部４を形成している。そして、表面シート１１の両側縁を熱溶着して連結した溶着部５とし、上部を開口部３とした袋状に形成している。
【００２２】
また、袋本体１は、内部に収納する食品２１の量や大きさ、形状によって、その高さや幅、マチ部４の広さを決定する。図２に示す袋本体１は、一枚のプラスチックフィルムを折り返して一対の表面シート２とマチ部４を形成しているが、必ずしもその限りではない。二枚の表面シート２を重ね合わせ、その両側縁及び下側縁を熱溶着して袋状とすることもできる。また、表面シート２の下縁にマチ部４を形成する別のシートを溶着して閉塞し袋状としてもよい。さらに、プラスチックフィルムを筒状にインフレーション成形して製造することもできる。
【００２３】
表面シート２は、ポリエチレンやポリプロピレン等の熱可塑性のプラスチックフィルムを使用する。このプラスチックフィルムは、好ましくは透明であって、さらに好ましくは無色透明とする。表面シート２を透明のプラスチックフィルムとする収納袋１００は、袋本体１の内部に収納された食品２１の鮮度や状態を外部から視認できるので、消費者が安心して購入できる特長がある。ただし、表面シート２は、必ずしも透明でなくともよい。有色で光を透過させないプラスチックフィルムを使用することもできるし、意匠を考慮して、表面シート２の一部に印刷を施すこともできる。また、一対の表面シート２の内、一方の表面シート２のみを透明のプラスチックフィルムを使用して、袋本体１を形成してもよい。
【００２４】
ポケット１０は、袋本体１を形成している表面シート２にポケットシート１１を連結して形成される。図１〜図３に示すポケット１０は、袋本体１の外側面に設けている。このポケット１０は、ポケットシート１１の両側縁を袋本体１の両側縁に、下縁を袋本体１の下縁にそれぞれ連結して、上方開口のポケット状とし、ポケットシート１１と表面シート２との間に、表示シート２０が出し入れできるように形成されている。また、ポケットシート１１の上縁は、表面シート２の上部に設けられたチャック６に沿って配置されており、好ましくは、チャック６よりも多少下方に位置するように配置されるのがよい。ただし、ポケットシート１１の上縁は、チャック６の近傍であれば、上方または同じ位置でもよい。
【００２５】
ポケットシート１１の上縁がチャック６に沿うように配置された収納袋１００は、表面シート２をポケット１０に容易に出し入れできる特徴がある。ポケット１０は、ポケットシート１１を表面シート２に積層して形成されるので、ポケット１０に表示シート２０を入れる時は、ポケットシート１１の上縁を表面シート２から離す必要が生じる。しかし、この収納袋１００は、チャック６を連結することにより、開口部３近傍の表面シート２に幅方向の張りが生じるのに対して、ポケットシート１１の上縁は自由度がある。さらに、ポケットシート１１の上縁は、チャック６の近傍に位置しているため、表面シート２との間に隙間が生じやすくなる。これにより、ポケットシート１１が表面シート２から簡単に離れ、表示シート２０を迅速にかつ容易にポケット１０に収納することができる。
【００２６】
図１に示すポケット１０は、その上縁開口の横幅を袋本体１の幅と等しくしている。このポケット１０は、上縁開口を広くして大きな表示シート２０を簡単かつ容易に挿入できる特長がある。また、ポケットシート１１の両側縁を袋本体１の両側縁に連結する工程を、一対の表面シート２の両側縁を連結して袋状に形成する工程と同時に行うことができる。このため、製造工程を少なくして製造コストを低減できる特長もある。
【００２７】
ポケット１０は、その幅を袋本体１の幅と同じとせずともよい。図４に示す収納袋２００は、ポケット１０を袋本体１の表面シート２の中央部に設けている。また、ポケット１０は、複数設けることもできる。図５に示す収納袋３００は、両面の表面シート２各々にポケットシート１１を連結して、ポケット１０を複数設けている。また、収納袋は、図４の鎖線ハッチングで示すように、ポケット１０を形成するポケットシート１１の左右の中間部を高さ方向に表面シート２に連結して、表面シート２とポケットシート１１の間を複数に区画することにより、複数のポケット１０を設けることもできる。複数のポケット１０は、一方には表示シート２０を、他方には小袋に入った調味料や、保冷剤等を収納することができて、便利に使用することができる。
【００２８】
以上のポケット１０を形成するポケットシート１１は、表面シート２と同様に、透明、好ましくは無色透明のポリエチレンやポリプロピレンなどの熱可塑性のプラスチックフィルムを使用するが、必ずしもその限りではない。透明以外の有色で、内部を視認できないプラスチックフィルムや、紙などを使用することもできる。この場合は、表示シート２０を二つ折りにして、その一片をポケット１０の内部に差し込み、もう一片をポケット１０の外部に垂らして使用することができる。
【００２９】
また、ポケットシート１１と表面シート２との連結部は、超音波溶着にて連結することができる。図１に示す収納袋１００は、ポケットシート１１の下縁を、表面シート２に超音波溶着して連結部１２とし、その両側縁を袋本体１の両側縁に熱溶着して溶着部５としている。また、図４に示す収納袋２００は、ポケットシート１１の下縁及び両側縁を超音波溶着して連結部１２としている。超音波溶着による連結部１２は、熱溶着よりも簡単かつ強固に連結できるので、ポケット１０の剥離をより確実に防ぐことができる。ただし、ポケットシート１１と表面シート２は必ずしも超音波溶着する必要はない。熱溶着や接着剤を使用して連結することもできる。
【００３０】
さらに、図示しないが、ポケット１０は、袋本体１の内面に設けることもできる。この構成の収納袋は、表示シート２０を外部から視認するために、表面シート２が透明または透光性を有するものを使用する。袋本体１の内面に設けたポケット１０は、内部に収納される表示シート２０の脱落を防ぐ特徴がある。
【００３１】
チャック６は直線状に伸びるプラスチック製の細長い線材で、表面シート２の上部、すなわち袋本体１の開口部３に位置し、開口部３の対向する内側面に、開口部３の幅方向に直線状に延在して固定されている。図２に示すチャック６は、一方が凸条で、他方がこの凸条を脱着できるように嵌入する嵌着溝を有する咬合型のチャック６である。このチャック６は、凸条を嵌着溝に嵌入して連結する状態で剛性が向上し、表面シート２の連結部分を直線状に保持する。また、図１に示すチャック６は、袋本体１の開口部３の幅方向に伸びて、表面シート２の横幅と等しい長さとしている。この構造の袋本体１は、開口部３の幅方向全体にチャック６を固定しており、チャック６を連結することにより、袋本体１の表面シート２をより広い範囲で確実に直線状に保持できる。したがって、チャック６近傍の表面シート２と、表面シート２に連結しているポケットシート１１が、収納袋１の前後方向に丸められることなくその幅方向に広げられた姿勢で保持される。また、この構造の袋本体１は、開口部３の全体をチャック６で完全に閉塞できるので、袋本体１を密閉構造にできる。これにより、袋本体１の内部にゴミなどの異物の混入を防ぎ、衛生的にかつ安全に使用することができる。また、袋本体１の内部に、匂いの強い食品、例えば漬け物や魚の干物等を収納しても、臭気が外部に漏れにくいので快適に使用できる。さらに、この構造の袋本体１は、店頭に陳列して販売する際に、消費者による袋本体１の内部に収納された食品２１の入れ替えや盗難を抑止する効果も期待できる。
【００３２】
以上の構造の袋本体１は、チャック６の両端が袋本体１の両側縁に位置する。チャック６は、表面シート２に比べて厚みがある。このため、チャック６の全長を、袋本体１の開口部３の幅と等しくする袋本体１は、両面の表面シート２の両側縁を溶着して袋状に形成する際には、チャック６の両端部分がより強固に溶着される。これにより、両側縁が溶着される１対の表面シート２の上端部における連結強度を向上し、袋本体１の両側縁が上方から破損されるのを有効に防止できる。ただし、チャック６は、その長さを必ずしも開口部３の幅と同一とする必要はなく、開口部３の中央部分を含む、開口部３の幅の１／２以上とすることもできる。
【００３３】
図１〜図３の収納袋１００は、開口部３の上端縁であって、一対の表面シート２の上端を所定の高さだけ上方に延伸させて帯状の把持部７を設けている。対向する把持部７の中央には、手指を差し入れる手提げ穴８が開口されている。袋本体１の内部に食品２１が収納され重くなっている場合でも、この手提げ穴８に手指を差し入れて、確実に持ち運びができる。また、この手提げ穴８は、収納袋を吊り下げて陳列する場合の吊り下げ穴としても利用できる。ただ、手提げ穴８は必ずしも設けずともよい。それは、この把持部７を利用して、収納袋全体を持ち上げることもできるからである。さらに、把持部７は、内部に収納される食品２１の説明等を印刷することもできる。
【００３４】
また、互いに対向する把持部７同士は、その両側縁を非連結状態とし、さらに切欠き９を設けている。この切欠き９は、把持部７の両側縁の下部から、把持部７の上端に向かって斜めに切断して設けている。これは、袋本体１の内部に食品２１を収納する際に有用である。把持部７を手で持ってチャック６を開くと、チャックが開き易くなるとともに、開口部３と連続している把持部７が大きく広がるので、開口部３を開く動作がしやすくなる。ただし、図においては把持部７の両側縁を斜めに切断して切欠き９を設けているが、切欠き９を設けずともよい。また、本発明の収納袋は、必ずしも把持部７を備えずともよい。
【００３５】
以上の収納袋は、袋本体１の内部に食品２１を収納して、マチ部４を拡開させた状態においてチャック６を連結すると、その側面視が三角形状となる。図６（ａ）に示すように、開口部３から袋本体１の内部に食品２１を投入すると、袋本体１の底部に設けられたマチ部４が表面シート２の積層方向（前後方向）であって、図において左右方向に広がって自立し、安定して食品２１を収納できる。この状態で、図６（ｂ）に示すように、チャック６を連結して開口部３を閉じると、収納袋１００の側面視は、マチ部４を底辺、開口部３を頂部とした三角形状となる。この状態で、図３に示すように、ポケット１０に表示シート２０を収納する。
【００３６】
収納袋１００を店頭の陳列棚２２に陳列した状態を図７の概略側面図に示す。図において、左側を陳列棚２２の前方とし、右側を後方とする。図に示す収納袋１００は、袋本体１の奥行き方向、つまり陳列棚２２の後方に向かって複数並べても、消費者が表示シート２０を視認しやすい。それは、前後に隣接しあった収納袋１００同士の間の上方に、スペースが形成されるからである。特に、前方に位置する収納袋の背面側に形成される傾斜面により、後方に配置された収納袋が死角にならず、後方に配置された収納袋１００であっても、消費者が表示シート２０を視認しやすい。また、陳列棚２２の前方に落下防止のためのガイド柵や壁が設けられていても、袋本体１とポケット１０に傾斜面が形成されているので、ガイド柵や壁に邪魔されることなく、ポケット１０に収納された表示シート２０を確実に視認することができる。
【００３７】
以上の収納袋１００は、以下のようにして製造される。なお、以下に示す製造工程は、図８に示すように、一枚のプラスチックフィルムを折り返して一対の表面シート２とマチ部４を形成しながら袋本体１を形成し、ポケット１０が袋本体１の外面に設けられる収納袋１００を形成する状態を示している。
（１）プラスチックフィルムを袋本体１の高さの約２倍となる幅に裁断する。あるいは、袋本体１の高さの約２倍の幅を有するプラスチックフィルムを用意する。
（２）別のプラスチックフィルムをポケット１０の高さに裁断して、ポケットシート１１とする。
（３）プラスチックフィルムの表面側にポケットシート１１の下縁を超音波溶着して連結する。この時、後にマチ部４を形成する部分を確保するために、ポケットシート１１下縁が、表面シート２の中央より上部に位置するように位置決めする。
（４）ポケットシート１１が連結されたプラスチックフィルムを中央部で折り返し、ポケットシート１１が連結された面が外側となるように積層して一対の表面シート２を形成する。さらに、このとき、プラスチックフィルムの折り返し部を、積層された表面シート２の間に押し込んで４層構造とし、マチ部４となる折り込みを設ける。このとき、プラスチックフィルムは、マチ部４の下端の折り返し部がポケットシート１１の下縁に沿って設けられる。
（５）互いに積層された一対の表面シート２の先端部の内側面に、チャック６を溶着する。チャック６は、一方の表面シート２の内側面に凸条の連結片が、また、他方の表面シート２の内側面に、凸条が嵌入する嵌着溝を備えた連結片がそれぞれ溶着される。チャック６を溶着する工程では、把持部７となる部分を各表面シート２の先端側に確保した位置に、各々の連結片が溶着される。
（６）互いに積層された一対の表面シート２の両側縁を、図８の太破線で示すように、所定の幅で熱溶着しながら切断し、袋状に形成する。この工程において、マチ部４の両側縁、ポケットシート１１の両側縁、及びチャック６の両端も一対の表面シート２と一緒に熱溶着されて切断される。
（７）袋状に形成された袋本体１の開口部３側に形成された把持部７の中央部に、パンチング等により手提げ穴８を開口する。さらに、把持部７の両側縁を上縁に向かって斜めに切断して切欠き９を設ける。
【００３８】
本発明の収納袋は、主として袋本体１の内部に食品２１を収納して使用されるが、収納物を食品２１に限定しない。たとえば、熱帯魚等の観賞魚や生花、園芸用の土や、肥料等、種々の物品を収納する収納袋として多岐に渡り使用できる。特に、消費者が収納物の状態や質を確認しながら購入する物品の場合は、袋本体が透明の表面シートから形成される収納袋が好ましい。
【産業上の利用可能性】
【００３９】
本発明の収納袋は、店頭に陳列される際に使用できる収納袋として有効に利用できる。
【符号の説明】
【００４０】
１００、２００、３００…収納袋
１…袋本体
２…表面シート
３…開口部
４…マチ部
５…溶着部
６…チャック
７…把持部
８…手提げ穴
９…切欠き
１０…ポケット
１１…ポケットシート
１２…連結部
２０…表示シート
２１…食品
２２…陳列棚
９０…収納袋
９１…袋本体
９２…ラミネートフィルム
９３…ポケット形成フィルム
９４…ポケット
９５…紙葉体
【図１】
2020001755.tif 000003
【図２】
2020001755.tif 000004
【図３】
2020001755.tif 000005
【図４】
2020001755.tif 000006
【図５】
2020001755.tif 000007
【図６】
2020001755.tif 000008
【図７】
2020001755.tif 000009
【図８】
2020001755.tif 000010
【図９】
2020001755.tif 000011
【手続補正書】
【提出日】令和1年11月11日(2019.11.11)
【手続補正１】
【補正対象書類名】特許請求の範囲
【補正対象項目名】全文
【補正方法】変更
【補正の内容】
【特許請求の範囲】
【請求項１】
両面の表面シートをプラスチックフィルムとする上方開口の袋状にしてなる袋本体と、
前記袋本体の表面シートに両側縁と下縁を連結してなるポケットシートとからなり、
前記ポケットシートと前記表面シートとの間に、表示シートを出し入れできる上方開口のポケットを設けてなる収納袋であって、
前記袋本体が、底部にマチ部を有し、
さらに、前記表面シートの上部には、開口部の幅方向に直線状に伸びるプラスチック製のチャックが固定されており、
前記袋本体に収納物が収納されて、前記マチ部が拡開される状態で、
前記表面シートの上部が前記チャックで直線状に連結されて、前記ポケットが、前記マチ部で傾斜されて、前記チャックで上部を直線状に保持されるようにしており、
前記袋本体は、前記開口部の上縁を上方に延伸させてなる把持部を有しており、
前記把持部の両側縁を、非連結状態としており、
前記把持部の両側縁の下部から、該把持部の上端に向かって斜めに切断した切り欠きを設けてなる収納袋。
【請求項２】
請求項１に記載される収納袋であって、
前記ポケットシートは、その上縁を、前記チャックに沿って、該チャックよりも下方に位置するように配置されてなる収納袋。
【請求項３】
請求項１又は２に記載される収納袋であって、
前記袋本体が、一枚のプラスチックフィルムを二つに折り返して互いに積層される一対の表面シートを構成すると共に、
前記プラスチックフィルムの折り返し部分が、前記袋本体の内側にさらに折り込まれて前記マチ部を形成してなる収納袋。
【請求項４】
請求項１ないし３のいずれか一項に記載される収納袋であって、
前記チャックが、一方が凸条で、他方が前記凸条を脱着できるように嵌入する嵌着溝で形成されてなる収納袋。
【請求項５】
請求項１ないし４のいずれか一項に記載される収納袋であって、
前記ポケットの横幅を、前記袋本体の横幅に等しくしてなる収納袋。
【請求項６】
請求項１ないし５のいずれか一項に記載される収納袋であって、
前記表面シートと前記ポケットシートとの連結部が、超音波溶着されてなる収納袋。
【請求項７】
請求項１ないし６のいずれか一項に記載される収納袋であって、
前記把持部は、手提げ穴が設けられてなる収納袋。
【請求項８】
請求項１ないし７のいずれか一項に記載される収納袋であって、
前記表面シートが、透明のプラスチックフィルムからなる収納袋。
【請求項９】
請求項１ないし８のいずれか一項に記載される収納袋であって、
前記ポケットシートが、透明のプラスチックフィルムからなり、かつ前記表面シートの外面に連結されてなる収納袋。
【手続補正２】
【補正対象書類名】明細書
【補正対象項目名】０００６
【補正方法】変更
【補正の内容】
【０００６】
本発明のある態様にかかる収納袋は、両面の表面シート２をプラスチックフィルムとする上方開口の袋状にしてなる袋本体１と、袋本体１の表面シート２に両側縁と下縁を連結してなるポケットシート１１とからなり、ポケットシート１１と表面シート２との間に、表示シート２０を出し入れできる上方開口のポケット１０を設けてなる収納袋であって、袋本体１が、底部にマチ部４を有し、さらに、表面シート２の上部には、開口部３の幅方向に直線状に伸びるプラスチック製のチャック６が固定されている。また、袋本体１に収納物が収納されて、マチ部４が拡開される状態で、表面シート２の上部がチャック６で直線状に連結されて、ポケット１０がマチ部４で傾斜されて、チャック６で上部を直線状に保持することができる。さらに前記袋本体は、前記開口部の上縁を上方に延伸させてなる把持部を有しており、前記把持部の両側縁を、非連結状態としており、前記把持部の両側縁の下部から、該把持部の上端に向かって斜めに切断した切り欠きを設けている。
【手続補正３】
【補正対象書類名】明細書
【補正対象項目名】０００７
【補正方法】変更
【補正の内容】
【０００７】
本発明は、収納袋を以下に限定するものではないが、以下の構成とすることができる。
本発明のある態様にかかる収納袋は、前記ポケットシートは、その上縁を、前記チャックに沿って、該チャックよりも下方に位置するように配置している。
本発明のある態様にかかる収納袋は、袋本体１が、一枚のプラスチックフィルムを二つに折り返して互いに積層される一対の表面シート２を構成すると共に、プラスチックフィルムの折り返し部分が、袋本体１の内側にさらに折り込まれてマチ部４を形成することができる。以上の収納袋は、丈夫で安価な収納袋を、短時間で製造できる特徴がある。それは、この収納袋が、袋本体を一枚のプラスチックフィルムを折り返して積層することで形成される、一対の表面シートやマチ部を構成しているからである。複数の表面シートと別シートからなるマチ部を連結することで袋本体が構成される収納袋は、その製造工程において、シート同士を連結する連結工程が増えると共に、連結部において脆弱になりやすい。これに対して、以上の収納袋は、袋本体を一枚のプラスチックフィルムを折り返して形成するので、連結部を減らすことができ、これにより製造時間を短縮しながら脆弱箇所を少なくすることができる。